(57)【要約】      （修正有）【課題】汚染物質を除去し、周囲の環境にそれらを放出することなく保持することを可能とする清掃ユニットを提供する。【解決手段】清掃ユニット１は、蓄積ベース１０によって定義される格納室２、地面の近くに配置される吸引入口６を含む吸入装置３、および濾過装置１２を備え、吸入装置３は互いに平行して配置され、前記蓄積ベース１０上の主要な吸入手段４および第２の吸入手段５からなり、主要な吸入手段４は前記吸引入口６を制御し、第２の吸入手段５は濾過空気を噴出するために適切であり、格納室２は、その中の空気が高度に乱流である乱流領域５ａを分離する分離要素９、およびその中の空気が低い乱流を有する再循環領域４ａを含み、再循環領域４ａは主要な吸入手段４に連結され、乱流領域５ａは前記第２の吸入手段５に連結される。【選択図】図１
2007100501.tif 000002
【特許請求の範囲】
【請求項１】
道路などの清掃ユニットであって、蓄積ベース（１０）によって定義される格納室（２）、地面の近くに配置される吸引入口（６）を含む吸入装置（３）、および濾過装置（１２）からなり、前記吸入装置（３）は前記格納室（２）および前記吸引入口（６）間の空気を再利用するために適切な清掃ユニットにおいて、
‐前記吸入装置（３）は、互いに並列して配置され、前記蓄積ベース（１０）より上に配置される主要な吸入手段（４）および第２の吸入手段（５）を含み、前記主要な吸入手段（４）は前記吸引入口（６）を制御し、前記第２の吸入手段（５）は濾過空気を噴出するために適切であることを特徴とし、
‐前記格納室（２）が、高レベルの乱流およびエネルギーを有する空気が存在する乱流領域（５ａ）、および低レベルの乱流およびエネルギーを有する空気が存在する再循環領域（４ａ）を分離する分離要素（９）を含み、
‐前記再循環領域（４ａ）は前記主要な吸入手段（４）に連結され、前記乱流領域（５ａ）は前記第２の吸入手段（５）に連結されることを特徴とする清掃ユニット。
【請求項２】
請求項１に記載のユニットであって、前記吸入装置（３）が、前記空気、廃棄物および汚染物質を前記入口（６）から前記乱流領域（５ａ）へ向かわせるために適切である吸入ダクト（７）および運搬部材（７ｃ）、および前記汚染物質の前記吸入を補助するように前記入口（６）に前記再循環領域（４ａ）からの前記空気を向けるのに適切な再循環ダクト（８）を含むことを特徴とするユニット。
【請求項３】
請求項２に記載のユニットであって、前記運搬部材（７ｃ）は前記吸入ダクト（７）の拡張部分によって定義され、前記運搬部材（７ｃ）は前記吸入要素（９）を通過することを特徴とするユニット。
【請求項４】
請求項１に記載のユニットであって、前記吸入装置（３）は吸入ダクト（７）および再循環ダクト（８）を含み、前記吸入（７）および再循環ダクト（８）は、前記格納室（２）の外側にあることを特徴とするユニット。
【請求項５】
請求項１に記載のユニットであって、前記分離要素（９）が垂直壁面によって構成されることを特徴とするユニット。
【請求項６】
請求項１に記載のユニットであって、前記主要な吸入手段（４）は全体の６０％から７０％の容量を有し、前記第２の吸入手段（５）は全体の３０％から４０％の容量を有することを特徴とするユニット。
【請求項７】
請求項１に記載のユニットであって、前記第２の吸入手段（５）と同様に前記主要な吸入手段（４）によって吸い込まれる廃棄物を濾過するように前記格納室（２）において延長される濾過装置（１１）を有し、前記濾過装置（１２）は、前記第２の吸入手段（５）によって吸い込まれた前記廃棄物および前記汚染物質を濾過するのに適切であることを特徴とするユニット。
【請求項８】
請求項７に記載のユニットであって、前記濾過装置（１１）は、８ｍｍから１０ｍｍの間のメッシュ開口を有しているネットによって構成されることを特徴とするユニット。
【請求項９】
請求項１に記載のユニットであって、前記濾過装置（１１）がフィルタ布のフィルタ（１２ａ）を含むことを特徴とするユニット。
【請求項１０】
請求項９に記載のユニットであって、前記濾過装置（１１）は、前記フィルタ布のフィルタ（１２ａ）に直列に配置される独立したフィルタ（１２ｂ）を含むことを特徴とするユニット。
【請求項１１】
請求項９に記載のユニットであって、前記濾過装置（１１）は前記フィルタ布のフィルタ（１２ａ）に直列に配置される静電気的フィルタを含むことを特徴とするユニット。
【請求項１２】
請求項１に記載のユニットであって、第２の濾過装置（１１ａ）は、前記フィルタ装置（１１）および前記主要な吸入手段（４）の間に配置されることを特徴とするユニット。
【発明の詳細な説明】
【技術分野】
【０００１】
本発明は道路などの清掃ユニットに関し、蓄積ベースによって定義される格納室、地面の近くに配置される吸引入口を含む吸入装置、および濾過装置からなるタイプであって、吸入装置は、格納室および吸引入口間の空気を再利用するのに適切であるものに関する。
【背景技術】
【０００２】
公知であるように、道路、広場、大きいショッピングエリアその他の清掃のために使われる異なるタイプの道路などの清掃ユニットが現在販売されている。
これらのユニットの基本構成要素は、廃棄物運搬装置、廃棄物および汚染物質の分離フィルタ、および、廃棄物の格納のための容器である。これらのユニットは、乾燥状態または水と一緒に作動することができる。
それらは、空気、特別フィルタによってその後に分離される例えばちりなどの廃棄物および汚染物質を吸入し、それから廃棄物および汚染物質は格納され、このことにより道路表面をきれいにする。
【０００３】
物質の運搬は、特別な回転ブラシおよび機械的な運搬装置によって機械的な吸入タイプユニットにおいて、また流体力学において公知の概念によって地面に固着する廃棄物および汚染物質が持ち上げられるのを可能にする表面真空を生み出すため地面をすれすれに行く特に圧縮空気の流れの使用による他のユニットにおいて実行される。
圧縮空気は例えば吸入装置のリサイクルされた空気からなることが可能で、この空気は注目に値する運動エネルギーをすでに有していて、減少したエネルギー・コストは圧縮空気の流動を生み出すに十分である。
【０００４】
類似したユニットは米国特許Ｎｏ．４０９９２９０に記載される。ここで、吸気は部分的にフィルタをかけられ、再利用される。
前記濾過された空気はまた、部分的に収集され、周囲の環境に放出されるためにまた濾過される。
【０００５】
上述した技術は、重要ないくつかの欠点を示す。
実際には、地上でその動作をさせる圧力の下の空気は、通常塵および汚染物質の大きい負荷を示す廃棄物を上昇させる。それゆえに、この再利用された空気が環境に分散するたびに、汚染が生じる。
使われる装置は、ほとんど負荷損なく地面から物質を上昇させるために使用される効率的な空気の再利用を可能にするよう通常設計されるという事実にもかかわらず、地面の起伏および負荷の通常の損失のために、空気自体は全く再利用されることができない。
【０００６】
他の点では、記載された動作の間、浄化された空気はまた汚染物質と混ざり、したがって注目に値するエネルギーおよび作動時間の廃棄物を浪費してまた浄化される必要性があるので、汚染物質を地面から持ち上げるために浄化された空気を用いることは便利でない。
さらに、前記ユニットは頻繁なメンテナンス、清掃、その他を必要とする。廃棄物などの蓄積が前記ユニット内部で起こり、そしてそれによって可能なバクテリアなどの危険な激増、または単純に機能状態の劣化が生じる可能性がある。
【０００７】
加えて、フィルタまたはそれらの代替物の頻繁な清掃が必要である。また、フィルタまたはユニットそれ自体の清掃を実行するためにユニットの機能を中断する必要もある。
前記ユニットの清掃およびメンテナンスによって、コストおよび作動時間の増大が生じる。
さらに、現在市場に出ているユニットは、例えば微細な塵および中毒性粒子のように環境中に存在する汚染物質を常に処理することができるわけではない。
【発明の開示】
【０００８】
この状態において、本発明の土台となる技術的な目的は、従来技術で明示された欠点を本質的に克服することができる道路などのための清掃ユニットを考えることである。
前記技術的な目的は、汚染物質を除去し、周囲の環境にそれらを放出することなくそれらを保持することを可能にする清掃ユニットを考える本発明の重要な目的である。
【０００９】
重要な本発明のほかの目的は、ユニット自体の急速かつ頻繁でないメンテナンスを可能にする清掃ユニットを考えることである。
【００１０】
本発明の他の目的は、フィルタの清掃動作などが機械自体の使用を中断せずに実行される道路などの清掃ユニットを作成することである。
【００１１】
技術的な目的および詳述された目的は、道路などの清掃ユニットによって達成され、その清掃ユニットは、蓄積ベースによって定義される格納室、地面の近くに配置される吸引入口を含む吸入装置、および濾過装置からなり、前記吸入装置は、前記格納室および吸引入口間の空気を再利用するために適切であり、互いに平行して前記蓄積ベースより上に配置された主要な吸入手段および第２の吸入手段を含み、前記主要な吸入手段は前記吸引入口を制御し、前記第２の吸入手段は濾過空気を噴出するために適切であり、前記格納室は高レベルの乱流およびエネルギーを有する空気が存在する乱流領域を分離する分離要素、低レベルの乱流およびエネルギーを有する空気が存在する再循環領域を含み、前記再循環領域は前記主要な吸入手段に連結され、前記乱流領域は前記第２の吸入手段に連結される。
【００１２】
前記清掃ユニットがほとんど汚染物質を含まない空気を再利用するのを可能し、それは単純かつ経済的に取り扱われる。
【発明を実施するための最良の形態】
【００１３】
添付された図面に関して、発明の追加的な特性および利点は本発明の好ましい実施例の詳細な説明によって以下でさらに説明される。
【００１４】
前記図面に関して、発明の清掃ユニットは１によって全体が示される。
これは、トラック、バンなどにおいて移動でき、適切かつ本質的に平行六面体などの形状である格納室２を含み、薄板金などで組み立てられるタイプである。前記格納室２は、少なくとも、上方壁２ａ、少なくとも部分的に開けられ除去されることができる後部壁２ｂ、前面壁２ｄ、基部壁２ｃおよび２つの側壁で構成される。これらの壁は、壁平面、リブまたは前記壁上の補強の角度の変更を考慮せずに、好ましくは本質的に平面である。
【００１５】
格納室２の下部の部分は、廃物および汚染物質を格納することになる。それゆえに、基部２ｃと、側壁、前面壁２ｄ、後部壁２ｂの下部の部分は、前記廃棄物および汚染物質の格納のための蓄積ベース１０を作成する。
ユニット１も、地面から空気、塵などの汚染物質、大きさにおいて前記汚染物質より大きい廃棄物を吸い込む吸入装置３を含む。
【００１６】
前記吸入装置は、並列に配置された主要な吸入手段４および第２の吸入手段５を含む。
主要なおよび第２の吸入手段４および５は、蓄積ベース１０より上に前記格納室２の上部セクションにおいて配置される。
特に主要な吸入手段４は並列に配置され、格納室２の上方壁２ａに近い遠心ファンから好ましくは構成される
第２の吸入手段５は、２つの並列作動している軸方向の流動ファンによって構成される。これらの軸方向の流動ファン５は、格納室２の後部壁２ｂと平行して配置され、前記後部壁２ｂおよび上方壁２ａに近い。
【００１７】
互いに平行な主要な部分手段４および第２の吸入手段５の両方は、真空を作り出すため格納室２において一緒に作動し、空気の十分な動きを生み出す。特に主要な吸入手段４は、第２の吸入手段５より大きな容量を有する。例えば主要な吸入手段４は、全体の６０％から７０％に等しい容量を有し、一方で第２の吸入手段５は全体の３０％から４０％に等しい容量を有する。
【００１８】
さらに、分離手段９はまた第２の吸入手段５の動作が有力である乱流領域５ａにより、主要な吸入手段４の動作が有力である再循環領域４ａを本質的に分離するように存在する。
分離手段９は、壁の断面によって構成される。
分離手段９は、さまざまに形そして必要な大きさに形成されることが可能である。
【００１９】
吸入装置３は、外側から、より正確には地面から前記空気、汚染物質および廃棄物を吸い込む吸引入口６を含む。
前記吸引入口６は、前記格納室２の下に適切に配置される。
吸入装置３はまた、吸引入口６から蓄積ベース１０への輸送をするため、前記空気、汚染物質および廃棄物を通す吸入ダクト７を含む。
この吸入ダクト７は、前記格納室２の側面において配置され、それゆえに吸引入口６に通じる入口７ａから格納室２において配置される放出口７ｂまで、曲がる管などによって本質的に構成される。
【００２０】
放出口７ｂは、それから運搬手段７ｃに連結され、好ましくはダクト７の単純なエクステンション、または格納室２の中心に近い廃棄物を室の乱流領域５ａの方へ運搬するガイド隔壁のような他の要素によって構成される。
【００２１】
吸入装置３もまた、吸引入口６に格納室２の空気を通す空気再循環ダクト８を含む。
この再循環ダクト８もまた主に、格納室２の外側に伸びる管などによって構成され、それは、主要な吸入手段４の近くに配置される入口８ａおよび放出口８ｂを含む。この放出口８ｂの管などは、地面から汚染物質の分離およびそれらの吸入に役立つ周知のヴェントゥーリ効果によって生じる地面をすれすれに行く加圧された気流を生み出すように狭くなる。
【００２２】
ユニット１はまた、主要な吸入手段４および第２の吸入手段５の両方によって吸い込まれる廃棄物を濾過する濾過要素１１を含む。
濾過要素１１は前記蓄積ベース１０より上に配置され、好ましくはネットまたは格子によって構成される。蓄積ベースから廃棄物が出るのを妨げるため、このネットは好ましくは８ｍｍから１０ｍｍの間のメッシュ直径を有する。前記濾過要素１１の単純性のために、それはいかなる清掃またはメンテナンス作業も必要としない。
【００２３】
ユニット１はまた、第２の吸入手段５によって吸い込まれる汚染物質を濾過する濾過要素１２を含む。
それゆえに濾過要素１２は、周囲の環境に分散される塵および他の粒子を保持する。
この装置１２は、少なくとも１つの布フィルタ１２ａ、または円柱状のまたは円錐形のカートリッジフィルタ、またはバッグによって本質的に構成される。
【００２４】
これらのタイプのフィルタの両方は、円錐形のまたは円柱状のカートリッジ周辺で配置されるか、またはいくつかのループまたは袋を有するコースに続いて配置されるフィルタ布に基づく。
これらのフィルタは、空気を保持するフィルタ布を通じて空気を運搬する。
これらのフィルタはまた、特に円錐形のカートリッジおよび袋のモデルにおいて、重力が表面に蓄積した汚染物質を蓄積ベース１０の方へ押すように配置される。
すべての汚染物質がすぐ蓄積ベース１０に落下するわけではなく、それらの一部はフィルタ布の表面に堆積する。
【００２５】
フィルタ布上の汚染物質の段階的な堆積は、フィルタ布を振ることによって自動的に実行されるか、または代替的に水、圧縮空気などで清掃することによる布の周期的な清掃を必要とする。
【００２６】
さらに、静電気的タイプのような微細なフィルタ１２ｂは、好ましくは強固な静電気フィールドの存在のため作成される空気のイオン化によって殺菌されるフィルタ布１２ａに続いて配置される。このことにより、汚染物質は帯電した電荷を呈し、フィルタの壁上に堆積する。そして壁は手動または自動的に掃除される。
代替的に、フィルタ布から構成される独立した微細なフィルタ１２ｂもまた、フィルタ布１２ａに続いて配置されることができるが、今回は微細な汚染物質を濾過するきわめて微細な布で構成される。微細なフィルタ１２ｂもまた蓄積ベース１０より上に配置され、したがって濾過要素１１を通過した後に、前記フィルタから放出される汚染物質は、蓄積ベース基部１０上へ直接、落下および堆積する。
【００２７】
塵が蓄積ベース１０に落ちるならば、それらは堆積し、特にそれらが湿っている場合しばしば起こるように、廃棄物に固着する。ゆえにそれらは吸入装置３によって上に吸い込まれない。
微細なフィルタ１２ｂは第２の吸入手段５のとなりに配置されるので、それらは環境に濾過空気を運ぶ。
【００２８】
構造的に上記された発明の清掃ユニットの機能について以下に説明する。
初めに、吸入システム３を稼動するか、または主要なおよび第２の吸入手段４および５を同時に始動する。このようにして真空が格納室２において作られる。
前記真空のために、吸引入口６は、地面から空気、廃棄物および汚染物質を吸い込む。これらは吸入ダクト７を通過し、格納室２に到着する。
【００２９】
廃棄物は、フィルタ装置１１によって引き止められ、蓄積ベース１０へ落下する。
吸入手段４および５は、重い廃棄物の上昇が可能であり、６０ｍ／ｓの速度に達する流動で空気の流れを作り出す。
放出口７ｂおよび運搬用の付属部品７ｃを出る空気は、乱流領域５ａに導入される。
この乱流領域５ａは、それゆえに高度に乱流の存在と大きな運動エネルギーに関与する。
この空気は、主にすぐ近くの第２の吸入手段５によって吸い込まれる。
これは、それからフィルタ装置１２によってフィルタをかけられ、それが含む汚染物質を放す。続いて放出され、周囲の環境に配置される。
【００３０】
濾過は、より微細な汚染物質を除去する微細なフィルタ１２ｂと同様に、より大きい汚染物質を除去するフィルタ布フィルタ１２ａの両方によって実行される。
再循環領域４ａに到着する空気は、格納室２の全体にわたって通過したものである。再循環領域４ａはそれゆえに、負荷の損失による減少する乱流およびエネルギーによって特徴づけられる。
【００３１】
さらに、運搬機関７ｃによって導入される空気の一部分のみが、この空気の一部が第２の吸入手段５によって吸い込まれかつ放出されるので、再循環領域４ａに到着する。
それゆえに、この空気は蓄積ベース１０に落ちる汚染物質を輸送する。
その結果主要な吸入手段４は、より少ない汚染物質を含む空気を吸い込む。
空気は、再循環ダクト８によって伝導され、吸引入口６の近くの放出口８ｂに到着する。
【００３２】
ここで、空気は高速で地面をこすり、これにより塵などの除去を可能にするヴェントゥーリ効果を生み出す。空気はその後、格納室２に吸入ダクト７を通じて戻る。
主要なおよび第２の吸入手段４および５の容量に基づいて、異なる量の空気が再利用または濾過され、そして周囲の環境に放出される。
フィルタ布のフィルタ１２ａは、それがその最大能力に達した後、自動的に振られかつきれいにされ、このことにより汚染物質は蓄積ベース１０に落ちる。
蓄積ベース１０より上に配置される独立したまたは静電気的な微細なフィルタ１２ｂは、より少ないメンテナンスを必要とする。
【００３３】
発明は、大きな利点を許容する。
１つの大きな利点は、主要な吸入手段４および第２の吸入手段５によるフィルタ装置１２の特定かつ革新的なレイアウトによって提供される。
これらはすべて、平行六面体のような好ましくはきわめて単純な形状である、単一の格納室２の上部セクションにおいて、実際には配置される。従って、ユニット１は単純および経済的に取り扱われる。
吸入７および再循環ダクト８は、主に格納室２の外側に配置される。
【００３４】
このレイアウトは、好ましくない汚染物質および廃棄物の隠された蓄積を防ぐ。ユニット１は、この蓄積を支持する領域または隙間を有しない。
主要な吸入手段４および第２の吸入手段５の考えられる誤動作、または負荷損またはその類似したものは、汚染物質または廃棄物を直接蓄積ベース１０に落下させる。
主要な吸入手段４および第２の吸入手段５の起こりうる誤動作、または負荷損またはその類似したものは、汚染物質または廃棄物を直接蓄積ベース１０に落下させる。
【００３５】
格納室２の中および主に室の外側に配置されたダクトの前記装置のこのレイアウトの追加的な利点は、格納室２が含まれる要素の部分を単純に除去することによって、清掃ユニットの異なるタイプに容易に採用されることができるという事実において示される。例えば、機械的な吸入タイプ清掃ユニットを作成するため、主要な吸入手段４、およびダクト７および８の単純な除去は、そのフィルタおよび第２の吸入手段５を有して、格納室２の使用を可能にし、ここで廃棄物はまた機械的な運搬要素によって運搬される。
主要な吸入手段４および第２の吸入手段５は平行で同時に作動し、吸入手段の動力はそれゆえに合計され、吸入はより大きな効率を有する。
【００３６】
単一の格納室２における前記部材のレイアウトに逆らわず、再循環のために使用される空気は、前記部材の吸入領域の識別のため、低量の塵および汚染物質を含む。それゆえに、吸引入口６が地面に固着する際に問題を有する場合であってもユニット１は周囲の環境に関連する汚染物質の量を放出しない。
同時に、ユニット１は空気の急速かつ継続的な流動を可能にし、２回以上同じ空気を濾過しない。
【００３７】
フィルタの特別タイプおよび蓄積ベース１０より上のそれらの位置は、自動的な掃除、蓄積ベース１０において直接フィルタから供給される汚染物質の設定を可能にする。
それゆえに、フィルタの頻繁なメンテナンスは必要でない。
直列に配置されるフィルタ布、および静電気的なまたは独立したフィルタの特定のレイアウトは、健康に害を及ぼし、フィルタの他のタイプによって処理されることができない微細な粒子の処理さえ（最高０．０１μｍ）も可能にする。このレイアウトおよびフィルタの選択は特に適切であり、空気の運搬および気流の再循環に使用される。
【００３８】
本発明は、発明の概念の範囲に含まれる変化を受ける。
例えば、第２のフィルタ要素１１ａは、格子またはネットによって構成される分離要素９および前面壁２ｃ間で主要な吸入手段４のすぐ下に配置されることができる。
さらに、ベルトコンベアおよびブラシのような機械的な運搬部材は、吸入ダクト７内部で廃棄物および汚染物質の吸入に一体化されることができる。
【図面の簡単な説明】
【００３９】
【図１】本発明のユニットの断面図である。
【図２】自動車に配置される本発明のユニットを図示したものである。
【図１】
2007100501.tif 000003
【図２】
2007100501.tif 000004